(57)【特許請求の範囲】
【請求項１】
コモンレール（１）システムを用いたエンジンを搭載した作業車輌において、該作業車輌の高度レベルの上昇をＧＰＳ（Ａ）で検出すると共にエンジンの負荷率の増大算出によって前記コモンレール（１）のレール圧を昇圧させて燃料噴射量を低減させる制御を行い、
加速時における単位時間当たりのエンジン回転数の変化及び単位時間当たりの燃料噴射量の検出を行い、両変化率が基準値を越えた場合にはパイロット噴射を行うことを特徴とする作業車輌。
【請求項２】
前記パイロット噴射において、単位時間当たりのエンジン回転数の上昇率が大きいほどパイロット噴射タイミングの進角及びパイロット噴射回数を増加補正させる制御を行うことを特徴とする請求項１記載の作業車輌。
【発明の詳細な説明】
【技術分野】
【０００１】
この発明は、作業機用エンジンに関し、主としてトラクターやコンバイン及び田植機等の作業機に搭載するエンジンの分野に属する。
【背景技術】
【０００２】
トラクターやコンバイン等の農作業機は、単なる移動のための走行や作業機を駆動させながらの走行等種々の負荷条件に対応したエンジン出力の制御が行われているが、従来では、例えば、ガバナに調節制御用のアクチュエーターを接続し作業機の作業モードに応じてアクチュエーターを作動させ、ガバナによって燃料の噴射量を変更しエンジンの出力を調節制御するもの等が開示されている。（例えば、特許文献１参照）
【特許文献１】特開２０００ー２２０４８６号公報
【発明の開示】
【発明が解決しようとする課題】
【０００３】
しかし、このように、作業モードに応じガバナによって燃料の噴射量を変更しエンジンの出力を調節制御するもの等では、農作業機のように単なる移動走行時と耕耘作業や刈取作業等の作業時におけるエンジンに掛かる負荷変動が大きく違っており、更には、作業時における耕地の固さや収穫物の条件によってもエンジンの負荷が大きく変動してエンジンの回転数が変化し易いと共に、ガバナ制御では制御機構が複雑となり制御応答性が悪くなる難点があるため、作業運転者の操縦操作を困難にしている。
【０００４】
そこで、本発明では、蓄圧室からエンジンの各気筒への燃料噴射制御を行うコモンレールシステムを利用することにより、制御機構を簡単にし制御応答性を良くすると共に、高度レベルが上昇した場合の空気不足による黒煙発生の抑制を課題とする。また、加速時における騒音低減を行い、空ふかし時のスモーク及び騒音レベルを低減することを課題とする。
【課題を解決するための手段】
【０００５】
請求項１の発明は、コモンレール（１）システムを用いたエンジンを搭載した作業車輌において、該作業車輌の高度レベルの上昇をＧＰＳ（Ａ）で検出すると共にエンジンの負荷率の増大算出によって前記コモンレール（１）のレール圧を昇圧させて燃料噴射量を低減させる制御を行い、
加速時における単位時間当たりのエンジン回転数の変化及び単位時間当たりの燃料噴射量の検出を行い、両変化率が基準値を越えた場合にはパイロット噴射を行うことを特徴とする作業車輌の構成とする。
【０００６】
このような構成により、作業機に搭載されるエンジンは、山間部など高度の高い場所で使用されることがあるが、このようなときにＧＰＳ（Ａ）を用いて計測を行うことにより高度位置を容易に確定することができるから、このような高度レベルの上昇検出及び負荷率の増大算出時には、コモンレール（１）のレール圧を昇圧させ燃料の噴霧微粒化を促進させると共に、燃料噴射量を低減させる制御を行うことにより、高度が上昇した場合の空気不足による黒煙の発生を抑制することができる。
また、加速時に単位時間当たりのエンジン回転数の変化及び単位時間当たりの燃料噴射量の検出を行い、両変化率が基準値を越えた場合にはパイロット噴射を行うことで、加速時の騒音の低減を図る。
【０００７】
請求項２の発明は、前記パイロット噴射において、単位時間当たりのエンジン回転数の上昇率が大きいほどパイロット噴射タイミングの進角及びパイロット噴射回数を増加補正させる制御を行うことを特徴とする請求項１記載の作業車輌の構成とする。
このように、パイロット噴射において、単位時間当たりのエンジン回転数の上昇率が大きいほどパイロット噴射タイミングの進角及びパイロット噴射回数を増加補正させる制御を行うで、空ふかし時のスモーク及び騒音レベルを低減する。
【発明の効果】
【０００８】
請求項１の発明では、上記作用の如く、ＧＰＳ（Ａ）を用いて確定した高度レベルや負荷率に応じてコモンレール（１）によるレール圧及び燃料噴射量の制御を行うことにより、高度が上昇したときの空気不足による黒煙レベルを低減することができる。また、加速時に単位時間当たりのエンジン回転数の変化及び単位時間当たりの燃料噴射量の検出を行い、両変化率が基準値を越えた場合にはパイロット噴射を行うことで、加速時の騒音の低減を図ることができるようになる。
【０００９】
請求項２の発明では、上記作用の如く、パイロット噴射において、単位時間当たりのエンジン回転数の上昇率が大きいほどパイロット噴射タイミングの進角及びパイロット噴射回数を増加補正させる制御を行う構成としているので、空ふかし時のスモーク及び騒音レベルを低減することができるようになる。
【発明を実施するための最良の形態】
【００１０】
蓄圧式燃料噴射ディーゼルエンジンについて、図１に示す如きシステム図によりその概要を説明する。蓄圧式燃料噴射とは、各気筒へ燃料を噴射する燃料噴射装置への燃料供給を要求された圧力としたコモンレール１（蓄圧室）を介して行うものである。
【００１１】
燃料タンク１０内の燃料は吸入通路１１により燃料フィルタ１２を介してエンジンで駆動される高圧ポンプ１３に吸入され、この高圧ポンプ１３によって加圧された高圧燃料は吐出通路１４によりコモンレール１に導かれ蓄えられる。
【００１２】
該コモンレール１内の高圧燃料は各高圧燃料供給通路１６により気筒数分の燃料噴射弁１７に供給され、エンジンコントロールユニット１８（以下「ＥＣＵ」という）からの指令に基づき、各気筒毎に燃料噴射弁１７が開弁作動して、高圧燃料がエンジンの各燃焼室内に噴射供給される。
【００１３】
各燃料噴射弁１７での余剰燃料（リターン燃料）は各リターン通路１９により共通のリターン通路２０へ導かれ、このリターン通路２０によって燃料タンク１０へ戻される。
また、コモンレール１内の燃料圧力（コモンレール圧力）を制御するため高圧ポンプ１３に圧力制御弁２１が設けられている。
【００１４】
この圧力制御弁２１はＥＣＵ１８からのデューティ信号によって、高圧ポンプ１３から燃料タンク１０への余剰燃料のリターン通路２０の流路面積を調整するものであり、これによりコモンレール１側への燃料吐出量を調整してコモンレール圧力を制御することができる。
【００１５】
具体的には、エンジン運転条件に応じて目標コモンレール圧力を設定し、コモンレール圧センサ２２により検出されるコモンレール圧力が目標コモンレール圧力と一致するよう、圧力制御弁２１を介してコモンレール圧力をフィードバック制御する。
【００１６】
図２は、ＥＣＵ１８の信号入力制御ブロック図である。
ＥＣＵ１８の入力側へ、タイマー２９，エンジン回転センサ３０，気筒判別センサ３１，アクセルペダルやアクセルレバーの開度センサ２５，吸入空気のターボ圧センサ３３，吸気温度センサ３４，ラジエーター水温センサ３５，吸入空気量センサ３６，作業レバーの位置センサ３７，ＧＰＳ（Ａ）コモンレール圧センサ２２，高度センサ（Ｂ）等を接続入力すると共に、出力側から、グロープラグ制御信号３８，燃料噴射弁制御信号３９，コモンレール圧制御信号４０等が出力される。
【００１７】
農作業機の蓄圧式燃料噴射ディーゼルエンジンのＥＣＵ１８は、図３に示す如く、回転数と出力トルクの関係において走行モードＭ１と通常作業モードＭ２及び重作業モードＭ３の三種類の制御モードを設けている。
【００１８】
走行モードＭ１は、回転数の変動で出力も変動するドループ制御として、農作業を行わず移動走行する場合に使用するものであり、例えば、ブレーキを掛けて走行速度を減速したり停止したりすると、この走行負荷の増大に伴ってエンジン回転数が低下するため走行速度の減速や停止を安全に行うことができる。
【００１９】
通常作業モードＭ２は、負荷が変動しても回転数が一定で出力を負荷に応じて変更するアイソクロナス制御として、通常の農作業を行う場合に使用するものであり、例えば、トラクターであれば耕耘作業時に耕地が固く耕耘刃に抵抗が掛かるとき、コンバインであれば収穫作業時に収穫物が多く負荷が増大したときでも、出力が変動して回転数を維持するので運転作業者が楽に操縦できる。
【００２０】
重作業モードＭ３は、通常作業モードＭ２と同様に負荷が変動しても回転数一定で出力を負荷に応じて変更するアイソクロナス制御に、負荷限界近くになると回転数を上昇させて出力を上げる重負荷制御を加えた制御で、特に、負荷限界近くで農作業を行う場合に使用するものであり、例えば、トラクターで耕耘作業を行っている際に、特に、固い耕地に遭遇してもエンジン出力が通常の限界を越えて増大するので作業を中断することがない。
【００２１】
これらの作業モードＭ１，Ｍ２，Ｍ３は、作業モード切替スイッチの操作、又は走行変速レバーの変速操作、作業クラッチの入り切り操作等によって切り替わるように構成する。
【００２２】
従来、ディーゼルエンジンでは、メイン噴射に先立って少量の燃料をパルス的に噴射するパイロット噴射を行うことにより、着火遅れを短縮してディーゼルエンジン特有の、所謂ノック音を低減することが知られている。
【００２３】
このパイロット噴射は、メイン噴射の前に１回乃至２回に固定して行われるものであったが、本発明の実施例では、エンジンの状況に応じてパイロット噴射の状態を変化させるコモンレール１のシステムを用いることで、騒音の低減や不完全燃焼による白煙又は黒煙の発生を抑制可能としている。
【００２４】
コモンレール１のシステムを用いたエンジンを搭載する農作業機では、山間部など高度の高い場所で使用されることがあるが、このような高度レベルの上昇及び負荷率の増大時には、図４のフローチャートに示す如く、気圧検出による高度センサー（Ｂ）やＧＰＳ（Ａ）等による高度の計測と、燃料噴射量の計測によるエンジン負荷率の算出を行い、この高度と負荷率とによって、図５の補正マップに示す如く、コモンレール１のレール圧を昇圧させ燃料の噴霧微粒化を促進させると共に、燃料噴射量を低減させる制御を行うことにより、高度が上昇した場合の空気不足による黒煙の発生を抑制することができる。
【００２５】
また、コモンレール１のシステムを用いたエンジンを搭載するコンバインにおいて、ベルトクラッチ入力時には、体感上のショックがあると共にベルトの摩耗も著しいことから、図６の線図に示す如く、クラッチ接続の場合は、エンジン回転数を低下後上昇させ、クラッチ切断の場合は、エンジン回転数を上昇後低下させることにより、体感ショックが少なくなると共にベルトの摩耗も軽減され、クラッチ接続及び切断時はパイロット噴射を行うことにより騒音の低減を図ることができる。なお、ＥＣＵ１８の信号通信によってエンジン回転数を制御するため応答遅れは少ない。
【００２６】
また、コモンレール１のシステムを用いたエンジンにおいて、エンジンのファンベルトが切れたときは、エンジンの冷却水が循環しなくなり短時間にエンジンの焼き付きが発生するため、この不具合を防止する制御方法として、ゼネレータの発電電流の周波数によりゼネレータの回転数を算出し、エンジン回転数との比によりベルトのスリップ率を求め、スリップ率が大きい場合には、ベルトの点検を促すようなメッセージを出力すると共に、スリップ率が０の場合には、ベルトが切れたと判断し緊急で無噴射状態としエンジンを停止する。
【００２７】
このように、ファンベルト切れをセンサーにより感知し自動でエンジンを停止することにより、ウォータポンプ停止時にもエンジンの焼き付きを未然に防ぐことができると共に、予めベルトのスリップ率によってベルト点検等のメッセージをモニターに表示させる。
【００２８】
なお、ベルトのスリップ率算出については、図７に示す如く、ファンプーリ４１にパルス発生用のギヤ４２を取付け、パルスセンサー４３によりファンプーリ４１の回転数を計測し、クランク回転数とファンプーリ４１の回転数の比率によってベルトのスリップ率の算出を行うようにしてもよい。
【００２９】
また、コモンレール１のシステムを用いたエンジンにおいて、図８に示す如く、水温センサ及び外気温のレベルによってエンジンの暖機状態を判断し、予め設定したマップによって噴射タイミングを変更すると共に、コモンレール１のレール圧を上昇し燃料の噴霧微粒化を促進し、同時に始動時の噴射量も増加させることにより、燃料の着火性を改善しエンジンの始動性を良好にすることができるから、従来、エンジン冷間時には雰囲気温度の低下に伴いエンジンの始動性が悪化し、クランキング時間も長くなりバッテリーにも負担がかかつていた不具合を防止することができる。
【００３０】
また、コモンレール１のシステムを用いたエンジンにおいて、エンジンの回転過渡時におけるパイロット噴射形態の制御については、エンジンの回転上昇率の違いにより、図９（ａ），（ｂ）に示す如く、パイロット噴射とメイン噴射の噴射タイミング及び噴射回数を設定する方法として、過渡時のエンジン回転上昇率（エンジン回転／時間）より算出した係数から回転上昇率の増加に伴いパイロット噴射タイミングの進角及び噴射回数を増加補正させ、これらパイロット噴射のパターンにより、従来発生していたフリーアクセル（空ふかし）時のスモーク及び騒音レベルを低減することができる。なお、同時にパイロット噴射圧を減圧制御させることによって効果を高めるようにしてもよい。
【００３１】
また、コモンレール１のシステムを用いたエンジンにおいて、冷却水温等からエンジンがオーバーヒート状態であることを検出したときは、従来の機械式燃料噴射機器では、図１０（ａ）に示す如く、噴射圧力を変更することができないため噴射期間を短縮することが一般的であるが、排出ガス性状等の観点から、図１０（ｂ）に示す如く、コモンレール１により燃料噴射期間（通電期間）は一定としたまま噴射圧を減圧制御して噴射量を低下させることが可能であり有効になると共に、燃料噴射量の低下によりエンジン発熱量が低下しオーバーヒートを回避することができる。
【００３２】
また、コモンレール１のシステムを用いたエンジンにおいて、冷却水温等からエンジンがオーバーヒート状態であることを検出したときは、エンジンからの動力伝達クラッチを切断後、エンジン回転数をアイドリングまで下げる制御を行うことにより、運転作業者に特別の動作を要求することなくエンジンをオーバーヒートから効果的に保護することができる。なお、従来においては、オーバーヒートを回避する目的に限定してクラッチ切断及びエンジン回転数の低下を実施した例は見当らない。
【００３３】
また、コモンレール１のシステムを用いたエンジンにおいて、ディーゼルエンジンの負荷制御方法として、図１１に示す如く、回転数と噴射量の相関を予め設定した噴射量マップと実噴射量によりエンジンの負荷率を算出し、負荷率が９０パーセントを越えた場合には自動的に作業機の走行速度を低下させ、エンジン回転数が目標回転数（負荷率が８０パーセント以下）に復帰を始めると走行速度を設定した位置まで少しづつ上昇させる。
【００３４】
このような制御を行うことにより、エンジン回転数の低下によるコンバインの脱穀回転数の低下を抑制し脱穀不良が減少すると共に、負荷の変化によるエンジン回転数の低下が減少し、結果として作業効率が向上する。なお、従来においては、負荷が増大しエンジン回転数が低下し始めると走行速度を低下させるシステムは実在するが、急激な負荷の変化には対応できないものである。
【００３５】
また、コモンレール１のシステムを用いたエンジンにおいて、図１２に示す如く、エンジンのＥＣＵ１８に入力信号としてポテンショメータの開度を設定している場合、例えば、トラクタにおける作業時においてはエンジンのＥＣＵ１８ではスロットル開度１００パーセントの信号が入力されているが、旋回時の作業機上昇信号やハンドルの切れ角信号が入力されると、本機のＥＣＵ４４によりエンジン回転数低下の条件を判断しＣＡＮ通信によりエンジンのＥＣＵ１８に送信し、旋回終了後元のエンジン回転数に復帰させる。
【００３６】
このように、本機のＥＣＵ４４とエンジンのＥＣＵ１８間のＣＡＮ通信によってエンジン回転数を制御するため、図１３（ａ）に示す如き、従来のスロットルアクチュエータ等の装置を用いた制御から、図１３（ｂ）に示す如く、ＣＡＮ通信による制御を行うことにより、エンジン回転数の応答遅れを少なくすることができる。なお、予め設定されているアクセルトルクマップをそのまま使用可能なためメモリの節約にもなる。
【００３７】
また、電子制御により燃焼室に燃料をマルチ噴射する通常のエンジン又はコモンレール１を用いたエンジンにおいて、エンジン加速時（回転及び負荷の上昇）にパイロット噴射を実施する制御を行うものでは、従来、定速運転時の回転数と負荷（噴射量）によりパイロット噴射が実施されており、加速時のように回転数及び噴射量が増加する運転条件ではメイン噴射のみであり可成の加速騒音が発生していた。
【００３８】
このため、図１４に示す如く、クランクシャフト４５に取り付けた回転数検出ギヤ４６と、この検出ギヤ４６に近接して設けられた回転検出センサ４７により、図１５（ａ）に示す如く、加速時のエンジン回転数の変化（△ｎ／△ｔ）の検出と、図１５（ｂ）に示す如く、スロットル開度に応じ噴射量を制御する信号により負荷（噴射量）の変化（△ｑ／△ｔ）の検出とを行い、各変化率が基準値を越えた場合にはパイロット噴射を行うよう制御することにより、定速運転条件だけではなく加速時においてもパイロット噴射を行い加速時騒音の低減を図ることができる。
【００３９】
また、電子制御により燃焼室に燃料をマルチ噴射する複数の気筒を有する通常のエンジン又はコモンレール１を用いたエンジンにおいて、従来の燃料噴射制御では要求される噴射量を各気筒に極力均等に供給すべく制御されるが、各気筒の圧縮比の違い等により均一の燃焼とはならず、各気筒間の燃焼のバラツキによる回転変動の不均一が発生していた。
【００４０】
このような回転変動の不均一を修正するため、前記図１４に示す如き、４気筒のエンジンにおいて、回転検出センサ４７により検出した各気筒毎の回転数が、例えば、図１６（ａ）に示す如く、第一気筒では高く，第二気筒では低く，第三気筒では高く，第四気筒では低くなっているようなときは、図１６（ｂ）に示す如く、次工程での主噴射量として、現工程での主噴射量から回転数バラツキの大小による調整主噴射量を加減したものと、次工程でのパイロット噴射量として、現工程でのパイロット噴射量から回転数バラツキの大小による調整パイロット噴射量を加減したものとによる制御によって、各気筒間の回転変動を抑え安定したエンジン回転数の均一化を行うことができる。
【００４１】
また、通常のエンジン又はコモンレール１を用いたエンジンにおいて、水温センサ（油温センサ等の代用も可）により冷却水温を検出し、この検出水温の時間微分成分を用いてエンジンがオーバーヒート傾向にあると判定された場合は、エンジン発熱量を軽減する制御を行うものである。
【００４２】
一例として、燃料噴射量を減量し、図１７に示す如く、噴射タイミングを進角させる進角制御実施エリア，パイロット噴射を進角させるパイロット噴射実施エリア，燃料噴射圧を増加させる燃料噴射圧制御実施エリア，パイロット噴射を実施及び増量させるパイロット噴射実施エリア等における実施によって、発生トルクを維持しつつ発熱量を低減させることができる。
【００４３】
このような発熱量の低減を行うことにより、従来の如く、ラジエータ冷却ファンの回転数により冷却水温を制御するものの如く、冷却装置の複雑化や高コスト化となることがなく、冷却装置の機械的構成を変更せずに冷却水温の異常上昇を防止することができる。なお、検出水温によるオーバーヒート判定によりエンジン発熱量を軽減させるフィードバック制御を行うことにより、冷却水温を制御しエンジンの損傷を防止することができる。
【００４４】
また、地面を耕すための農作業機を駆動する用途に用いられる通常のエンジン又はコモンレール１を用いたエンジンにおいて、水温センサ（油温センサ等の代用も可）により冷却水温を検出し、この検出水温の時間微分成分を用いてエンジンがオーバーヒート傾向にあると判定された場合は、図１８に示す如く、農作業機の耕す深さを浅くさせる耕深制御実施エリアにおける実施によって、エンジン負荷を低減させることができる。
【００４５】
このようなエンジン負荷の低減について、従来では、作業負荷が過大なときに耕深を浅くする制御は実施されているが、オーバーヒートに対して適応された例は見られない。なお、検出水温によるオーバーヒート判定により耕深を浅くするフィードバック制御を行うことにより、冷却水温を制御してオーバーヒートによるエンジンの重大な損傷を効果的に回避することができる。
【００４６】
また、コンバイン等、脱穀装置を備えた車両に搭載される通常のエンジン又はコモンレール１を用いたエンジンにおいて、水温センサ（油温センサ等の代用も可）により冷却水温を検出し、この検出水温の時間微分成分を用いてエンジンがオーバーヒート傾向にあると判定された場合は、図１９に示す如く、車両の走行速度を減速させる車速制御実施エリアにおける実施によって、エンジン負荷を低減させることができると共に、脱穀回転数が制御前後において一定となるよう調整を行わせる。
【００４７】
このようなエンジン負荷の低減について、従来では、作業負荷が過大なときに耕深を浅くする制御はトラクタ等で実施されているが、車速等に展開された例はなく、オーバーヒートに対して適応された例も見られない。なお、検出水温によるオーバーヒート判定により車両の走行速度を減速させるフィードバック制御を行うことにより、冷却水温を制御してオーバーヒートによるエンジンの重大な損傷を効果的に回避することができる。
【００４８】
また、通常のエンジン又はコモンレール１を用いたエンジンにおいて、図２０に示す如く、外気湿度が高いときは排出ガス粒子状物質が増加すると言われているため、エンジンルーム内に設けている湿度センサの検出による外気湿度が６０パーセントを越えた場合は、設定された燃料噴射タイミングのマップにより１度進角させ排出ガス粒子状物質の生成を抑制させる制御を行う。
【００４９】
また、コンバインに搭載される通常のエンジン又はコモンレール１を用いたエンジンにおいて、図２１に示す如く、作業に入った場合、通常作業では定格出力点付近に制御され、更に、作業負荷が増えると遷移作業域へとエンジン回転数が低下するため、このとき、従来では、運転作業者による刈取速度を下げる等の処置が遅れることが多く脱穀性能が低下していたが、本案では、この低下の単位時間あたりの変化量を検知し、所定以上の低下速度の場合には急激な過大負荷が掛かったと判断して、運転作業者に対し警告することにより適正な運転操作を要請し脱穀性能を確保することができる。
【００５０】
また、通常のエンジン又はコモンレール１を用いたエンジンを搭載したコンバインにおいて、図２２に示す如く、エンジン回転数及び噴射量の計測によってエンジンの負荷状態を把握すると同時に、コンバイン特有の不具合発生個所に設置された、刈取穀稈の搬送詰まり検出用の搬送穀稈詰まりセンサ，機外への穀粒の排出詰まり検出用の穀粒詰まりセンサ，排藁の搬送詰まり検出用の排藁搬送詰まりセンサにより、各々藁詰まり信号，穀粒詰まり信号，排藁詰まり信号が入力されたときは不具合発生と判断し、エンジン回転数を定格回転数からローアイドル回転数に戻すと共に、モニターにエラーを表示し、各々脱穀クラッチや穀粒排出クラッチをＯＦＦする制御を行う。
【００５１】
このように不具合の内容によって、自動的にエンジン回転数を定格回転数からローアイドル回転数に戻す制御を行い、モニターに表示すると共に、不具合箇所のベルトクラッチを自動的に切断することによって、従来の如く、不具合の発生にも拘らずエンジン回転数を定格回転数のままで作業を続けるというトラブルを回避できるから、ベルトやチェーン及び螺旋や穀粒等の損傷を防止することができる。
【００５２】
また、農作業機等、季節により使用時期が限定され長時間使用されない可能性が高い機械に搭載される通常のエンジン又はコモンレール１を用いたエンジンにおいて、長時間放置された潤滑油における始動ではエンジンの摺動部品に十分油膜が形成されず焼き付き等のトラブルが発生する恐れがあるため、エンジン始動時のクランキング期間において、潤滑油圧が十分な油膜が形成される規定検出値を示すまで燃料噴射を実施しないことにより、エンジンの損傷を保護することができる。
【００５３】
また、通常のエンジン又はコモンレール１を用いたエンジンにおいて、エンジン内の油圧によりエンジンを停止させる装置として、図２３に示す如く、油圧開閉バルブ５１は電源ＯＮで閉，電源ＯＦＦで開となり、エンジンの圧油で停止ソレノイド５２を作動させ燃料噴射ポンプ５３のラック５３ａを燃料カット（停止）位置に移動させてエンジンを停止させることができるから、エンジンが回転している限り、電気系統が故障しても油圧開閉バルブ５１が電源ＯＦＦで開となり燃料噴射ポンプ５３の作動を停止させ、電気系統故障時におけるエンジン停止のトラブルを防止することができる。
【００５４】
また、通常のエンジン又はコモンレール１を用いたエンジンにおいて、図２４に示す如く、シリンダブロック５４の下部に取り付ける補強ビーム５５を機外に延長して抜き孔による冷却機能を持たせた冷却板５５ａとすることにより、エンジン冷却風が冷却板５５ａの抜き孔を通って補強ビーム５５全体が冷却されるため、潤滑油がオイルパン５６に溜るときに補強ビーム５５を通って落下することによって潤滑油が冷却され、潤滑油の温度上昇や劣化を抑制することができる。
【産業上の利用可能性】
【００５５】
トラクタやコンバイン及び運搬車両等を始め一般車両にも利用可能である。
【図面の簡単な説明】
【００５６】
【図１】コモンレールによる蓄圧式燃料噴射ディーゼルエンジンを示すシステム図。
【図２】エンジンコントロールユニットによる信号入力制御状態を示すブロック図。
【図３】三種類の制御モードによるエンジン回転数と出力トルクの関係を示す線図。
【図４】高度と負荷率とによりレール圧と噴射量の補正手順を示すフローチャート。
【図５】高度と負荷率によりコモンレール圧と燃料噴射量の補正状態を示す側面図。
【図６】ベルトクラッチ入力時のエンジン回転数とパイロット噴射状態を示す線図。
【図７】ファンプーリの回転数をパルスセンサによって検出する状態を示す側面図。
【図８】水温と外気温により噴射量，タイミング，レール圧の補正状態を示す線図。
【図９】（ａ）過渡時のエンジン回転上昇率増加に伴うパイロット噴射の補正を示す線図。（ｂ）過渡時のエンジン回転上昇率増加に伴うパイロット噴射の補正を示す線図。
【図１０】（ａ）従来の機械式燃料噴射機器による燃料噴射期間を短縮した状態を示す線図。（ｂ）コモンレールにより噴射圧を減圧して噴射量を低下させる状態を示す線図。
【図１１】噴射量から負荷率を算出し作業機の走行速度変更状態を示すブロック図。
【図１２】トラクタ作業での本機とエンジンのＥＣＵ間通信状態を示すブロック図。
【図１３】（ａ）従来でのスロットルアクチュエータ等の装置を用いた制御状態を示す線図。（ｂ）ＣＡＮ通信によりエンジン回転数の遅れを少なくした制御状態を示す線図。
【図１４】四気筒エンジンでの回転検出センサによる回転数検出状態を示す側面図。
【図１５】（ａ）加速時にパイロット噴射を行わせるエンジン回転数の変化状態を示す線図。（ａ）加速時にパイロット噴射を行わせる負荷（噴射量）の変化状態を示す線図。
【図１６】（ａ）四気筒エンジンの各気筒における回転数のバラツキ状態を示す回転検出図。（ｂ）主噴射量とパイロット噴射量とによる回転数の調整状態を示す回転検出図。
【図１７】冷却水温の時間微分成分を用いエンジン発熱量軽減する制御を示す線図。
【図１８】冷却水温の時間微分成分を用い作業機の耕深を浅くする制御を示す線図。
【図１９】冷却水温の時間微分成分を用い脱穀回転数を一定にする制御を示す線図。
【図２０】外気温度が高くなる程排出ガスの粒子状物質が増加する状態を示す線図。
【図２１】作業負荷の増大により定格出力から遷移作業域へ回転数低下を示す線図。
【図２２】不具合時に自動的にローアイドルに戻す制御手順を示すフローチャート。
【図２３】電気系統が故障しても油圧によりエンジンを停止させる装置を示す略図。
【図２４】潤滑油がオイルパンに戻るとき冷却板により冷却させる装置を示す略図。
【符号の説明】
【００５７】
１    コモンレール
Ａ    ＧＰＳ
【図１】
0004720601.tif 000002
【図２】
0004720601.tif 000003
【図３】
0004720601.tif 000004
【図４】
0004720601.tif 000005
【図５】
0004720601.tif 000006
【図６】
0004720601.tif 000007
【図７】
0004720601.tif 000008
【図８】
0004720601.tif 000009
【図９】
0004720601.tif 000010
【図１０】
0004720601.tif 000011
【図１１】
0004720601.tif 000012
【図１２】
0004720601.tif 000013
【図１３】
0004720601.tif 000014
【図１４】
0004720601.tif 000015
【図１５】
0004720601.tif 000016
【図１６】
0004720601.tif 000017
【図１７】
0004720601.tif 000018
【図１８】
0004720601.tif 000019
【図１９】
0004720601.tif 000020
【図２０】
0004720601.tif 000021
【図２１】
0004720601.tif 000022
【図２２】
0004720601.tif 000023
【図２３】
0004720601.tif 000024
【図２４】
0004720601.tif 000025